(57)【要約】  【課題】グループでのカラオケ利用の際、システムにログイン中の利用者が男女のグループか否かを自動的に識別し、男女両性が存在している場合に、デュエット楽曲に関する情報を選曲可能に表示することで、これらを好適に紹介できるようにするカラオケシステムの提供。  【解決手段】現在ログインしている利用者の利用者ＩＤに紐付けされた性別情報に基づき、男女両性が存在している場合に、保持しているデュエット楽曲に関する情報を選曲可能に表示するシステムを構築した。【選択図】図１
2006208958.tif 000002
【特許請求の範囲】
【請求項１】
複数のデュエット楽曲を保持し、少なくとも各利用者の性別情報が記録されている属性情報記録部と、所定の楽曲情報を選曲可能に表示するための楽曲情報表示手段と、当該システムにログインしている利用者ＩＤを識別するための利用者ＩＤ識別手段と、これら機能手段を統括的に制御するための中央制御手段とを有してなるシステムであって、
前記楽曲情報表示手段は、現在ログインしている利用者の利用者ＩＤに紐付けされた性別情報に基づき、男女両性が存在している場合に、前記保持しているデュエット楽曲に関する情報を選曲可能に表示することを特徴とするカラオケシステム。
【発明の詳細な説明】
【技術分野】
【０００１】
本発明は、グループでのカラオケ利用の際、デュエット楽曲を好適に紹介するカラオケシステムに関する。
【背景技術】
【０００２】
現在、カラオケ利用の際、利用者に対してお勧めの楽曲として紹介し、選曲を効率的にできるシステムが確立している。具体的には、選曲可能に楽曲コードや曲名、アーティスト名などを表記し、楽曲と楽曲の演奏の合間に新譜情報やヒット曲情報を紹介している。本発明は、デュエット楽曲を選曲可能に紹介するものであるが、従来のデュエット楽曲については、お勧め楽曲に含まれるものもあるが、カラオケルームなどにおける利用者が男女のグループであっても、これを積極的に紹介するような仕組みはなかった。また、従来は、システムにログイン中の利用者が男女のグループか否かは考慮せず、単に表示するものであった。
【０００３】
従来、デュエット楽曲に関する技術も多々想到されてきた。例えば、特許文献１では、デュエットを希望する利用者が特別な操作を行わなくても、予め設定した所定条件に基づいて、デュエットパートナーとなるカラオケ演奏装置を自動的に選択するシステム、特許文献２では、１人の音声をマイクから入力しても、あたかもデュエットをしているような出力を得ることができる音声処理装置、特許文献３では、その場に居合わせない様々な人の中から選んだ人の歌声を相手にデュエットができるシステムなどが想到されている。
【０００４】
【特許文献１】特開２００３−３４５３６６号公報
【特許文献２】特開平５−１４３０８８号公報
【特許文献３】特開２００１−４２８７８号公報
【発明の開示】
【発明が解決しようとする課題】
【０００５】
しかしながら、現在まで、特に、システムにログイン中の利用者が男女のグループか否かを考慮して、デュエット楽曲を選曲可能に紹介するシステムは存在しなかった。具体的には、男女のグループでのカラオケ利用の場合、デュエット楽曲の歌唱は可能であり、また、男女の親睦を図る意味でも好適であるが、上記のような技術を利用しない通常使用の場合、デュエット楽曲は、男女別歌唱パートのそれぞれが歌唱できる男女の利用者がいないと歌唱が成立しないという不都合がある。
【０００６】
そこで、本発明は、グループでのカラオケ利用の際、システムにログイン中の利用者が男女のグループか否かを自動的に識別し、男女両性が存在している場合に、デュエット楽曲に関する情報を選曲可能に表示することで、これらを好適に紹介できるようにするカラオケシステムの提供を課題とする。
【課題を解決するための手段】
【０００７】
上記課題を鑑み、本発明者らは、現在ログインしている利用者の利用者ＩＤに紐付けされた性別情報に基づき、男女両性が存在している場合に、保持しているデュエット楽曲に関する情報を選曲可能に表示するシステムを提供することで、上記課題を解決できることを見出し、本発明のカラオケシステムを想到した。
【０００８】
すなわち、本発明のカラオケシステムは、複数のデュエット楽曲を保持し、少なくとも各利用者の性別情報が記録されている属性情報記録部と、所定の楽曲情報を選曲可能に表示するための楽曲情報表示手段と、当該システムにログインしている利用者ＩＤを識別するための利用者ＩＤ識別手段と、これら機能手段を統括的に制御するための中央制御手段とを有してなるシステムであって、
前記楽曲情報表示手段は、現在ログインしている利用者の利用者ＩＤに紐付けされた性別情報に基づき、男女両性が存在している場合に、前記保持しているデュエット楽曲に関する情報を選曲可能に表示することを特徴とする。
【発明の効果】
【０００９】
本発明のカラオケシステムによれば、グループでのカラオケ利用の際、現在ログインしている利用者の利用者ＩＤに紐付けされた性別情報に基づき、男女両性が存在している場合に、保持しているデュエット楽曲に関する情報を選曲可能に表示することで、これらを好適に紹介でき、デュエット楽曲の歌唱を促し、男女の親睦が向上されるといった効果を奏する。
【発明を実施するための最良の形態】
【００１０】
以下、本発明のカラオケシステムにつき、好適な実施例を挙げて説明するが、先ず、図１に示す、本発明のカラオケシステムを具備したカラオケ演奏装置のブロック構成図と、図２に示す、カラオケ演奏装置が付帯するリモコン装置の正面斜視図と、図３に示す、利用者別ログイン・ログアウト指示のインタフェイス表示画面と、図４に示す、属性情報管理テーブルの概念的構成図に基づき、本発明のカラオケシステムにおける各機能手段について詳述する。
【実施例１】
【００１１】
先ず、図１に示す、本発明のカラオケシステムを具備したカラオケ演奏装置（Ｐ）に基づき説明する。カラオケ演奏装置（Ｐ）は、主に、本発明のカラオケシステムを含め、カラオケシステム全体を統括的に制御する中央制御手段（１）とこれに接続された各種機器にて構成されている。すなわち、この中央制御手段（１）には、カラオケホスト装置との通信を制御するための通信制御手段（１２）や、リモコン装置（Ｒ）から演奏装置本体へ操作信号を処理するための操作制御手段（１３）および楽曲情報表示手段（１５）などが内蔵されて、これらを統括的に制御すると共に、ハードディスク（２）、ＲＡＭ（３）、音源（５）、ミキサ（６）、サウンドシステム（７）、ＰＣＭデコーダ（８）、ＭＰＥＧデコーダ（１０）、合成回路（１１）、利用者ＩＤ識別手段であるＩＤカード読み取り／書き込み装置（４）などが接続されている。
【００１２】
ここで、カラオケ演奏装置（Ｐ）の構成要素について少々詳述する。先ず、音源（５）は、中央制御手段（１）が実行するシーケンサ（１４）における楽曲シーケンサの処理によって入力された演奏データに応じて楽音信号を形成する。形成された楽音信号はミキサ（６）に入力され、このミキサ（６）は、音源（５）が発生した複数の楽音信号やカラオケマイク（Ｍ）と、Ａ／Ｄコンバータ（９）を介して入力された利用者の歌唱音声信号を適当なバランスでミキシングする。ミキシングされたデジタル音声信号はサウンドシステム（７）に入力される。このサウンドシステム（７）はパワーアンプを備え、入力されたデジタル信号をアナログ信号に変換して増幅し、スピーカ（Ｓ）から楽音と歌唱音声を放音する。
【００１３】
ハードディスク（２）に記録されている映像データ（１８）は、ＭＰＥＧ形式にエンコードされており、中央制御手段（１）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像信号に変換して合成回路（１１）に入力し、この合成回路（１１）はこの背景映像の映像信号上に歌詞テロップや採点表示などのＯＳＤを合成し、合成された映像信号は表示手段（Ｄ１）に表示される。
【００１４】
シーケンサ（１４）はハードディスク（２）に記録されている楽曲コード（１６）に紐付けされた演奏データ（１７）を読み出す。勿論、本発明では、この演奏データ（１７）には、多数のデュエット楽曲のものが含まれている。そして、このシーケンサ（１４）は主に楽曲シーケンサおよび歌詞シーケンサからなっており、楽曲シーケンサは演奏データ中の演奏データトラック、ガイドメロディトラックなどのトラックデータを読み出し、このデータで音源（５）を制御することでカラオケ楽曲の演奏を行い、一方、歌詞シーケンサは文字パターン作成手段を備えており、演奏データ中の歌詞トラックのデータを読み出し、このデータに基づいて歌詞テロップの画像パターンを作成して、これを合成回路（１１）に出力する。
【００１５】
本実施例では、利用者ＩＤの識別やシステムへのログインを認識するためには、利用者ＩＤ識別手段（４）とリモコン装置（Ｒ）が利用される。本実施例のリモコン装置（Ｒ）は、その内蔵２次電池に充電するための専用架台（図示省略）を必要とするが、この専用架台に利用者ＩＤ識別手段（４）が付帯されている。なお、本実施例の利用者ＩＤ識別手段は、非接触のＩＣモジュールを搭載したＩＤカードの読み取り／書き込み装置であり、カードＩＤに紐付けされた利用者ＩＤを特定するものである。ただし、本発明はこれに限らず、例えば、ＩＣモジュールを携帯電話に内蔵させたＩＣ機能付き携帯電話や、近距離無線通信手段であるブルートゥース（blue tooth）機構を有する携帯電話、あるいは、パスワードの入力装置や指紋や声紋などの生体識別機能に依る機構の利用者ＩＤ識別手段を利用しても構わない。
【００１６】
図２に示すように、本実施例のリモコン装置（Ｒ）の正面には、タッチセンサを積層した液晶ディスプレイ（ＬＣＤ；Ｄ２）を主体とした利用者インタフェイスが備えられ、ＧＵＩ（Graphical User Interface）環境を提供し、このＧＵＩ環境による対話を通じて楽曲索引データベース（図示省略）を検索し、その結果を表示出力させることで検索機能を実現している。なお、その背面の下方所定部にはＬＡＮポート（図示省略）が設けられており、ＬＡＮ接続ケーブルを介してカラオケ演奏装置に各種データが送信される。
【００１７】
次に、図３は、このリモコン装置（Ｒ）の利用者インタフェイスを利用した利用者別ログイン・ログアウト指示の表示画面である。この表示画面には、利用者別顔写真付きアイコン列（２０）やカラオケシステムへのログインをするための「ログイン」アイコン（２１）、ログアウトをするための「ログアウト」アイコン（２２）などが設けられている。このリモコン装置を前述した専用架台に装着した状態で、先ず、「ログイン」アイコン（２１）を選択した後、当該専用架台に付帯したＩＤカードの読み取り／書き込み装置（利用者ＩＤ識別手段）に自らのＩＤカードを装填することにより、これに紐付けされた利用者ＩＤが識別されると同時にシステムへのログインが識別される。
【００１８】
ログインが識別されると、カラオケホスト装置に予め登録された利用者の顔写真あるいは予め登録されていない場合、デジタルカメラ機能を使って撮影した利用者の顔写真を新たに登録して、順次、所定の利用者別顔写真付きアイコン（２０ａ）が利用者毎に掲載された利用者識別用インタフェイスが作成される。この利用者別顔写真付きアイコン列（２０）に利用者別顔写真付きアイコン（２０ａ）が形成された場合、それぞれを現在ログインしている利用者として見なし、楽曲情報表示手段（１５）は、その性別情報に基づき、男女両性が存在している場合に、デュエット楽曲に関する情報を選曲可能に表示する。
【００１９】
ここで、図１に示す、属性情報記録部（１９）に設けられた属性情報管理テーブル（Ｔ）について詳述する。この属性情報管理テーブル（Ｔ）には、各利用者ＩＤ（１９ａ）に紐付けされた各種の属性情報が記録されており、特に、本発明では性別情報が不可欠となっている。図４はその概念的構成図である。本実施例の属性情報管理テーブル（Ｔ）は、歌唱した利用者を特定するための「利用者ＩＤ」フィールド（ｆ１）、その利用者の性別の区分を示す「性別」フィールド（ｆ２）、氏名を示す「氏名」フィールド（ｆ３）、住所を示す「住所」フィールド（ｆ４）、生年月日を示す「生年月日」フィールド（ｆ５）などから構成されている。このテーブル（Ｔ）に基づき、図１に示す、楽曲情報表示手段（１５）は、現在ログインしている利用者の利用者ＩＤに紐付けされた性別情報に基づき、男女両性が存在している場合に、デュエット楽曲に関する情報を選曲可能に表示する。
【００２０】
以下、図５に示す、デュエット楽曲の紹介画面例図に基づき、楽曲情報表示手段によるデュエット楽曲に関する情報の選曲可能な表示について詳述する。
【００２１】
男女両性の存在が確認された場合、デュエット楽曲に関する情報は、例えば、利用者に対して楽曲と楽曲の演奏間に、お勧めの楽曲として紹介され、選曲を効率的にできるように表示する。その表示タイミングおよび表示形式としては、具体的には、背景映像や歌詞テロップを映し出す表示手段（Ｄ１）には、楽曲演奏の前後に、お勧め楽曲の紹介情報として、「おすすめデュエット曲」と題され、それぞれ曲名、楽曲コード、男女それぞれの歌唱パートを歌唱した男性アーティスト名および女性アーティスト名を含んだ楽曲情報（２３）が表示され、利用者は、所望するデュエット楽曲の楽曲コードを利用すれば、所定の選曲操作に基づき、その選曲ができるように構成されている。
【００２２】
以下、図６に示す、カラオケホスト装置を含めた本発明のカラオケシステムの全体構成図と、図７に示す、カラオケホスト装置のブロック構成図に基づき、本発明の別の実施例について説明する。
【実施例２】
【００２３】
図６に示すように、本実施例のカラオケシステムは、主に、カラオケボックスの店舗内に設置された複数のカラオケルーム（Ｋ，Ｋ…）のそれぞれに備えられたカラオケ演奏装置（Ｐ，Ｐ…）と、これらと店舗内ＬＡＮ上のルータから、ＡＤＳＬやＩＳＤＮといった通信回線（Ｎ）を介してインターネット（Ｎｉ）におけるカラオケ事業者が管理するＶＰＮ（Virtual Private Network）にて接続された、通信カラオケシステム用のカラオケホスト装置（Ｈ）からなる。各カラオケ演奏装置（Ｐ）は、ネットワークインタフェイスを介して店舗ＬＡＮおよびＶＰＮに接続してカラオケホスト装置（Ｈ）と交信する。例えば、当該ホスト装置（Ｈ）から送付された利用者の性別情報を受け取ったり、カラオケ演奏装置（Ｐ）側にて収集される利用者データを当該ホスト装置（Ｈ）に送信したりする。
【００２４】
具体的には、本実施例では、店舗内に１００ＢＡＳＥ−Ｔ規格のEthernet（登録商標）によるＬＡＮが敷設されており、このＬＡＮ上の各カラオケ演奏装置（Ｐ）はルータを介してインターネット（Ｎｉ）上のＶＰＮからカラオケホスト装置（Ｈ）に接続している。また、ＬＡＮ上のコンピュータ間の通信にもＴＣＰ／ＩＰが採用されており、ルータは、その内蔵するＤＨＣＰ（Dynamic Host Configuration Protocol）サーバ機能によって、ＬＡＮに接続されている各カラオケ演奏装置（Ｐ）にＩＰアドレスを割り当て、各演奏装置（Ｐ）のＭＡＣ（Media Access Control）アドレスとＩＰアドレスとを対応付けしたテーブルを作成して記憶している。
【００２５】
各カラオケ演奏装置（Ｐ）には、前述したように、楽曲検索機能を備えたカラオケリモコン装置（Ｒ）が付帯されており、このリモコン装置（Ｒ）をもって、利用者は赤外線信号によりカラオケ演奏装置（Ｐ）に所望の演奏予約コマンドを送信する。本実施例のリモコン装置（Ｒ）はその内蔵２次電池に充電するための専用架台（Ｃ）を必要とするが、この専用架台（Ｃ）には、充電手段の他、利用者ＩＤを識別し、当該利用者のログインを識別するための利用者ＩＤ識別手段が付帯されている。
【００２６】
図７に示すように、本実施例におけるカラオケホスト装置（Ｈ）は、カラオケ演奏装置と同様に、装置全体を統括的に制御する中央制御手段（３１）や各種情報を記録するためのハードディスク（３２）などを具備し、このホスト装置（Ｈ）に接続された如何なるカラオケ演奏装置（Ｐ）からも、通信制御インタフェイス（３０）を介して、任意のカラオケ演奏装置（Ｐ）にログインした利用者情報に基づき、ハードディスク（３２）内の属性情報記録部（３３）に設けられた属性情報管理テーブル（Ｔ）から、その利用者ＩＤ（３３ａ）が照会され、それぞれの性別情報が所定のカラオケ演奏装置（Ｐ）に返送される。この構成によれば、ログインした利用者情報を、このホスト装置に接続された如何なるカラオケ演奏装置からも採取でき、その情報に反映できると共に、如何なるカラオケ演奏装置であってもサービスを還元できるため、利用者への当該システム利用によるサービス面が大きく向上される。
【００２７】
以上、詳述したように、本発明のカラオケシステムによれば、グループでのカラオケ利用の際、現在ログインしている利用者の利用者ＩＤに紐付けされた性別情報に基づき、男女両性が存在している場合に、保持しているデュエット楽曲に関する情報を選曲可能に表示することで、これらを好適に紹介できる。
【図面の簡単な説明】
【００２８】
【図１】本発明のカラオケシステムを具備したカラオケ演奏装置のブロック構成図。
【図２】カラオケ演奏装置が付帯するリモコン装置の正面斜視図。
【図３】利用者別ログイン・ログアウト指示のインタフェイス表示画面。
【図４】属性情報管理テーブルの概念的構成図。
【図５】デュエット楽曲の紹介画面例図。
【図６】カラオケホスト装置を含めた本発明のカラオケシステムの全体構成図。
【図７】カラオケホスト装置のブロック構成図。
【符号の説明】
【００２９】
１，３１  中央制御手段
２，３２  ハードディスク
４  利用者ＩＤ識別手段
１５  楽曲情報表示手段
１９，３３  属性情報記録部
１９ａ，３３ａ  利用者ＩＤ
Ｔ  属性情報管理テーブル
Ｄ１  表示手段
Ｐ  カラオケ演奏装置
Ｒ  リモコン装置
Ｈ  カラオケホスト装置
【図１】
2006208958.tif 000003
【図２】
2006208958.tif 000004
【図３】
2006208958.tif 000005
【図４】
2006208958.tif 000006
【図５】
2006208958.tif 000007
【図６】
2006208958.tif 000008
【図７】
2006208958.tif 000009